(57)【要約】【目的】  腰を落として姿勢を低くする中腰姿勢やしゃがんだ姿勢になることなく雑草を刈り取ることができて足腰への負担を大に軽減することができ、且つ、草刈り鎌を使用する使用者が、効率よく雑草を刈り取ることができる草刈り鎌を提供できるようにする。【解決手段】  草刈り鎌における柄１を使用者が立ち姿で使用可能な長さに調整し、雑草刈り取り用の切り刃を形成する刃板２を平たい略三日月状にすると共に該刃板２の内湾側および外湾側に、各刃先５を刃板２の基部側に向けた鋸歯状の第一の切り刃３と第二の切り刃４をそれぞれ設け、且つ、第一の切り刃３は、該刃の向きが柄１の軸線に対して鈍角をなし、また第二の切り刃４は、該刃の向きが柄１の軸線に対して鋭角をなすように構成する。【選択図】  図１
2013021970.tif 000002
【特許請求の範囲】
【請求項１】
使用者が立ち姿で使用可能な長さの柄の先端に略三日月状の刃板を設けた草刈り鎌であって、該刃板の内湾側および外湾側にそれぞれ切り刃を設けると共に、少なくとも外湾側の切り刃を、各刃先を刃板の基部側に向けた鋸歯とし、また、前記内湾側の切り刃は、該刃の向きが柄の軸線に対して鈍角をなし、前記外湾側の切り刃は、該刃の向きが柄の軸線に対して鋭角をなすことを特徴とする草刈り鎌。
【請求項２】
前記刃板が、該刃板の上面と柄との角度を１５度〜３５度の範囲内にして取り付けられ、且つ、ゆるやかに刃板上面方向に略湾曲してなることを特徴とする請求項１の草刈り鎌。
【請求項３】
前記刃板が、柄の先端寄りの一部分と共に該柄と着脱自在に構成してなることを特徴とする請求項１の草刈り鎌。
【請求項４】
前記刃板と柄との角度を調節自在に構成してなることを特徴とする請求項３の草刈り鎌。
【請求項５】
前記柄の長さを調節自在に構成してなることを特徴とする請求項１の草刈り鎌。
【発明の詳細な説明】
【技術分野】
【０００１】
本発明は、雑草などを刈り取る際に使用する草刈り鎌に関する。
【背景技術】
【０００２】
従来、人手によって雑草を刈り取る場合は草刈り鎌を使用することが多く、この草刈り鎌は、４０ｃｍ前後の長さの柄の先端に、刈り取り用の切り刃を形成した刃板が、該切り刃を略使用者側に向けて取り付けられている。
そして、この鎌を用いた時の草刈り姿勢は、腰を落として姿勢を低くする中腰姿勢やしゃがんだ姿勢であり、特に、農業に従事する人はこの中腰姿勢やしゃがんだ姿勢で草刈りを行っていることが多いため、足腰に掛かる負担が非常に大なるものであった。
【０００３】
そして、一般の人でもガーデニングを趣味とする人の庭は土の占める割合が非常に多いことから、中腰姿勢やしゃがんだ姿勢になって行う草刈りの時は、足腰に掛かる負担を軽減できる車輪付き椅子に座り、該椅子を移動させながら座った状態そのままで草刈りを行うこともあった。
【０００４】
しかしながら、車輪付き椅子が移動できる方向は一方向への進退移動だけであるため、車輪付き椅子の移動方向に対し直交方向の座った状態では草刈り鎌が届かない場所にある雑草は、該椅子から立ち上がって雑草の生える場所まで移動して、腰を落として姿勢を低くした中腰姿勢やしゃがんだ姿勢になって雑草を刈り取っていることが多いので、該車輪付き椅子を用いたとしてもそれ相応の負担が足腰に掛かっていた。
【先行技術文献】
【特許文献】
【０００５】
【特許文献１】特開平１０−９号公報
【発明の概要】
【発明が解決しようとする課題】
【０００６】
本発明の目的とするところは、腰を落として姿勢を低くする中腰姿勢やしゃがんだ姿勢になることなく雑草を刈り取ることができて足腰への負担を大に軽減することができ、且つ、草刈り鎌を使用する被使用者が、効率よく雑草を刈り取ることができる草刈り鎌を提供できるようにすることにある。
【課題を解決するための手段】
【０００７】
上述した課題を解決するために、本発明に係る草刈り鎌の要旨とするところは、使用者が立ち姿で使用可能な長さの柄の先端に略三日月状の刃板を設けた草刈り鎌であって、該刃板の内湾側および外湾側にそれぞれ切り刃を設けると共に、少なくとも外湾側の切り刃を、各刃先を刃板の基部側に向けた鋸歯とし、また、前記内湾側の切り刃は、該刃の向きが柄の軸線に対して鈍角をなし、前記外湾側の切り刃は、該刃の向きが柄の軸線に対して鋭角をなすことを特徴とするものである。
【０００８】
本草刈り鎌は、主に雑草などの植物を刈り取るための農具の一種であり、使用者が立ち姿で使用可能な長さに調整した柄の先端に略三日月状の平たい刃板を設けていて、この刃板の前記柄の先端への取り付け側たる基部から先端部に向かう対辺に、雑草などの植物を切断するための切り刃をそれぞれ形成している。
【０００９】
また、略三日月状の平たい刃板の内湾側の切り刃は、被切断植物に対応させて刃もしくは歯（例えば、鋸歯状）の形態にすればよいが、外湾側の切り刃は、切り刃が被切断植物に掛かり易いように鋸歯状にするのが望ましい。
【００１０】
さらに、前記刃板における内湾側の切り刃は、該刃の向きが柄の軸線に対して鈍角をなす向きに設け、また、外湾側の切り刃は、該刃の向きが柄の軸線に対して鋭角をなすように設けるのがよい。
【００１１】
また、前記刃板の内湾および外湾の曲率、該刃板の平面視形状、該刃板の内湾および外湾に形成する切り刃の柄に対する角度などは、切断（刈り取る）する植物の種類などを考慮して選定するのが望ましい。
【００１２】
そして、前記柄は、使用者が立ち姿で草刈り鎌を使用可能な長さに調整されるが、しかしながら、より使用者の身長に合った柄の長さに調節できるよう該柄の長さを長短に調節自在に構成してもよく、例えば、任意の長さで固定できる伸縮棒状に構成したり、あるいは、複数の柄を繋ぎ合わせることにより所望の長さに調整できるように構成してもよい。
【００１３】
そして、前記刃板は、該刃板の上面と柄との角度が１５度〜３５度の範囲内になるよう柄に取り付けるのが望ましく、これにより、該刃板の地面と接する接地面すなわち下面が、使用者が柄を持つ位置や使用者の身長また使用者の作業の癖などによって生じる地面との接触不良を低減できて、略安定して地面に接地可能になる。
【００１４】
また、前記刃板を、上記接地面方向の反対となる刃板の上面方向にゆるやかに湾曲させてもよく、これにより、草刈り鎌の使用中に生じる恐れのある刃板先端部の地面への引っ掛かりを低減できる。
【００１５】
また、柄と刃板とを着脱自在に構成して、草以外の植物、例えば、細い竹や木あるいは中空や軟質の茎を有する植物などにも適応可能な切り刃を形成した刃板に交換できるようにしてもよく、該刃板の交換形態も、刃板単独で交換可能に構成したり、柄の先端寄りの一部分と共に刃板を交換可能に構成してもよい。
【００１６】
なお、上述のように、柄と刃板とを着脱自在に構成して、且つ、柄の先端寄りの一部分と共に刃板を交換可能に構成する場合は、前記刃板の上面と柄との角度を公知の角度調節機構などによって調節自在に構成して、該刃板の上面と柄とが直線状になるようにし、刃板を取り外せば、短柄の草刈り鎌として使用できるようにしてもよい。
【００１７】
そして、本草刈り鎌における刃板の少なくとも基部から先端までの長さや幅や厚みなどの寸法、また、切り刃の大きさや形状などは、被切断植物や使用者の年齢を考慮して選定するのが望ましい。
【発明の効果】
【００１８】
本発明の草刈り鎌によれば、該草刈り鎌の柄を使用者が立ち姿で使用可能に調整しているので、草刈り鎌を使用する際に、腰を落として姿勢を低くする中腰姿勢やしゃがんだ姿勢になることなく雑草を刈り取ることができて足腰への負担を大に軽減することができる。
【００１９】
また、柄の先端に備える三日月状の刃板に、草刈り鎌を使用者が手前側に引き寄せる操作によって雑草を切断する刃板における内湾側の第一の切り刃と、使用者の奥側に押し出すことによって雑草を切断する刃板における外湾側の第二の切り刃の２つの切り刃を備えているので効率よく雑草を刈り取ることができ、また押し切りとなる第二の切り刃を鋸歯にしているため、同第二の切り刃の雑草への掛かりも非常によい。
【００２０】
そして、前記第一の切り刃では刈り取れない刃板よりも外方に生えている雑草は、該雑草に第二の切り刃を押し当てることで切断（刈り取り）できるので、使用者は、立ち位置を変えずにより広い範囲の雑草を刈り取ることができる。
【００２１】
さらに第二の切り刃は、使用者の奥側に押し出すことによって雑草を切断するので、使用者の手前側に引き寄せて雑草を切断する従来の切り刃の形態をなす第一の切り刃では刈り取り難い塀の際や敷石の目地に生えている雑草を、容易に、且つ、使用者が立った状態のままで刈り取ることもできる。
【図面の簡単な説明】
【００２２】
【図１】本発明に係る草刈り鎌の一例を示す正面図。
【図２】図１に示した草刈り鎌の側面図。
【図３】図１に示した草刈り鎌の一部を拡大して示す正面図。
【図４】草刈り鎌の他の例を示す正面図。
【図５】草刈り鎌のさらに他の例を示す正面図。
【図６】各切り刃による雑草の刈り取り形態の一例を示した図。
【発明を実施するための形態】
【００２３】
以下、本発明に係る草刈り鎌を、添付図面に示す具体例に基づいて詳細に説明する。
【００２４】
本草刈り鎌は、図１に示すように、使用者が立ち姿で使用可能な長さに調整した柄１の先端に刃板２を設けているものである。
また、本実施例に示した刃板２は、半裁された三日月状に形成され、遊端が三日月の尖端となるようにその基部を柄に取り付けてある。
【００２５】
そして刃板２は、三日月状の内湾側を第一の切り刃３、同外湾側を第二の切り刃４として備えている。
【００２６】
また、第一の切り刃３および第二の切り刃４は、どちらにも鋸歯を形成してあり、各鋸歯の刃先５、５は刃板２の基部６側に向けて形成している。
【００２７】
そして、刃板２は、図２に示すように、該刃板２の長さ方向における略中央の上面７と柄１の軸線との角度α（図中に示す）を略２５度にして取り付られ、また、上面７方向に上反するようゆるやかに湾曲している。
前述する角度αを略２５度にすることで５０歳男女の平均身長に近い使用者に適応でき、さらに刃板２を上反するようゆるやかに湾曲させることによって該平均身長に高低の幅を持たせることができて、より広い年齢の使用者にも適する草刈り鎌となるようにしている。
【００２８】
また本草刈り鎌は、柄１と刃板２とを着脱できるように構成していて、同構成の一例を図３に示すと、同図３中の（ａ）に示すように、草刈り鎌が使用可能状態になっている時、締付バンド具８を緩めることによって、図３中の（ｂ）に示すように、刃板２をアッセンブリー部材（刃板ＡＳＳＹ９）の形態で取り外せるように構成している。
なお、図３中の（ｃ）は、柄１と刃板ＡＳＳＹ９との接続状態を示している断面図である。
【００２９】
そして、刃板ＡＳＳＹ９は、短柄部材１０の脚部１１に備える抜け止１２が、柄１に形成するＬ字状の案内スリット１３の最奥部まで挿入されて引き抜き不可に該柄１にセットされると共に、柄１の内空１４に嵌入されている脚部１１を締付バンド具８により締め付け固定されてこの柄１に装着される。
また、前記脚部１１は、少なくとも遊端部寄りの一部を先細のテーパ状にして、内空１４内への進入を容易に行えるように構成してある。
【００３０】
また、上述する柄１と刃板２とを着脱自在に構成する場合、本実施例では示していないが、公知技術からなるワンタッチ固定具などを用いて行ってもよい。
【００３１】
図４は、柄１の長さを調節できるようにした草刈り鎌を示していて、伸縮調節具１５を操作することにより、刃板２寄りの柄１ａを後段の柄１ｂの内空に、柄１ｂを後段の柄１ｃの内空にそれぞれ入れ子状に収納できようにしていて、柄１ａ、１ｂの突出長さを適宜調節することによって該柄１の長さを使用者が使い易い長さに調節できるようにしている。
なお、柄１の長さの調節は、上述の構成以外にも、公知の伸縮調節機構や多段接続機構などを利用することができる。
【００３２】
図５は、刃板２に形成する第一の切り刃３を、より小なる鋸歯状にした草刈り鎌の一例を示していて、これにより、雑草よりも大に茎径が太い、例えば、ひまわりなどの植物を切断する場合、茎に切り刃３が喰い付くことなく該茎を容易に切断することができる。
【００３３】
上述のように構成した本草刈り鎌の作用について説明すると、本草刈り鎌は、
使用者が立ち姿の状態で草刈りを行えるように構成していて、刃板２に形成した第一の切り刃３は、使用者が立ち姿の状態で柄１を手前に引いた場合に、柄１の軸線に対して鈍角をなし、また第二の切り刃４は、使用者が柄１を奥に押した場合に、柄１の軸線に対して鋭角をなす。
【００３４】
そして、図６に各切り刃による雑草の刈り取り形態を示すと、第一の切り刃３による雑草の刈り取りは、図６中の（ａ）図における図中の矢印Ａのように、柄１を操作して該第一の切り刃３を使用者が略手前側に引き寄せることによって雑草の根際を切断して該雑草を刈り取ったり、また、図には示していないが、刃板２を尖端から土中に刺し入れると共に切り刃３を根そのものに当接させ、同根を切断すると共に該雑草を引き抜いて刈り取る。
すなわち、第一の切り刃３は、草刈り鎌を通常使用した場合に機能する切り刃である。
【００３５】
一方、第二の切り刃４による雑草の刈り取りは、図６中の（ａ）図における図中の矢印Ｂのように、柄１の操作により該第二の切り刃４を使用者の略奥側（外方）に押し出すことによって雑草の根際や根そのものに当接させて該雑草を切断して刈り取る。
すなわち、第二の切り刃４は、特に、第一の切り刃３による刈り取りの一動作が終了し、次の第一の切り刃３による刈り取り動作に移行する過程において雑草を刈り取る際に機能する切り刃である。
【００３６】
また第二の切り刃４は、上述した図６中の（ａ）図における図中の矢印Ｂの動きと同じ動きであるが、第一の切り刃３では刈り取れない刃板２よりも外方に生えている雑草に対し、柄１の操作により該第二の切り刃４を使用者の略奥側（外方）に押し出して雑草の根際や根に当接させて該雑草を切断して刈り取る。
すなわち、本草刈り鎌の使用者が、第二の切り刃４を使用することによって立ち位置を変えずにより広い範囲の雑草を刈り取ることができる。
【００３７】
さらに第二の切り刃は、図６中の（ａ）図における図中の矢印Ｃのように、塀の際に生えている雑草に対し、柄１の操作によって該第二の切り刃４を使用者の略手前側に引き寄せたり、また使用者に対し略平行に移動させることによって雑草の根際や根に当接させて該雑草を切断して刈り取ることができる。
【００３８】
また、図６中の（ｂ）図における図中の矢印Ｄのように、敷石の目地に生えている雑草に対しては、該第二の切り刃４を前記目地内にセットすると共に、柄１の操作によって該第二の切り刃４を該目地内を移動させることによって該雑草を切断して刈り取ることができる。
【００３９】
上記説明において、使用者が柄１を手前に引く動作には、該柄１の引く動作に加え使用者が身体を捻る（回す）動作を含む場合もある。
また、使用者が柄１を奥に押す動作には、該柄１の押す動作に加え使用者が身体を捻る（回す）動作を含む場合もある。
【符号の説明】
【００４０】
１  柄
１ａ  柄
１ｂ  柄
１ｃ  柄
２  刃板
３  第一の切り刃
４  第二の切り刃
５  刃先
６  基部
７  上面
８  締付バンド具
９  刃板ＡＳＳＹ
１０  短柄部材
１１  脚部
１２  抜け止
１３  案内スリット
１４  内空
１５  伸縮調節具
１６  第一の切り刃
【図１】
2013021970.tif 000003
【図２】
2013021970.tif 000004
【図３】
2013021970.tif 000005
【図４】
2013021970.tif 000006
【図５】
2013021970.tif 000007
【図６】
2013021970.tif 000008